(57)【要約】【課題】ペットが引戸を開けるのを防止し、人間は引き戸を開けることができる、ペット用引戸固定具を提供すること。【解決手段】ペット用引戸固定具１は、Ｚ軸方向に延びる板状部材２、板状部材２の＋Ｘ端から＋Ｙ方向に延びる板状部材３、及び板状部材２から−Ｙ方向に延びる、Ｘ軸方向に弾性を有する板状部材４を備える。板状部材４がその一面を柱１１に当接して柱１１との間のスペースを狭めてペットが引戸１０と柱１１の間に手を入れるのを妨げ、またペットが爪等を板状部材４に掛けても、Ｘ軸方向の弾性により変形して板状部材４にかかる力を吸収し、板状部材２，３を移動させる力が加わらないため、ペットが引戸を開けるのを防止することができる。ペット用引戸固定具１を引き戸の下方に取り付ければ、人間は、引戸１０のペット用引戸固定具１よりも上の箇所を操作して、引戸１０を開閉することができる。【選択図】図２
2019143318.tif 000002
【特許請求の範囲】
【請求項１】
引戸がペットにより開けられるのを防ぐペット用引戸固定具であって、
第１方向に延びる第１の板状部材と、
前記第１の板状部材の前記第１方向に直交する第２方向の一端から前記第１及び第２方向のそれぞれに直交する第３方向の一側に延びる第２の板状部材と、
前記第１の板状部材から前記第３方向の他側に延びる、前記第２方向に弾性を有する第３の板状部材と、
を備えることを特徴とする、ペット用引戸固定具。
【請求項２】
前記第３の板状部材は、前記第１及び第２の板状部材の接続箇所から延びることを特徴とする、請求項１に記載のペット用引戸固定具。
【請求項３】
前記第３の板状部材の弾性は、前記第３方向の他側の先端にかかる前記第２方向の１ｋｇ重の力に対して変位量１〜５ｍｍであることを特徴とする、請求項１又は２に記載のペット用引戸固定具。
【請求項４】
前記第３の板状部材の弾性は、前記第３方向の他側の先端にかかる前記第２方向の１ｋｇ重の力に対して変位量０．１ｍｍ以下であることを特徴とする、請求項２に記載のペット用引戸固定具。
【請求項５】
前記第２の板状部材は、前記第１の板状部材側の一面に粘着面を有することを特徴とする、請求項１〜４のいずれか一項に記載のペット用引戸固定具。
【発明の詳細な説明】
【技術分野】
【０００１】
本発明は、ペット用引戸固定具に関する。
【背景技術】
【０００２】
室内で飼育しているペットが自由に部屋を移動できないようにするために、その都度、ドアをロックする、ドアの前に重量物を置くなどする必要がある。そこで特許文献１では、長尺板状を折り曲げた二叉状の小型の挟み具を強く握り、長尺板状を折り曲げた二叉状の小型の挟み具の両先端部分が密着状態の時に、閉扉状態のドアとドア枠との隙間、取手部分と平行線上にあるドア側面の凸部分に差し込むことで、部屋の外から取手部分を回してもドアを開けることはできず、閉扉状態を保持できるペット用ドアロックが開示されている。しかし、このドアロックは開き戸に使用可能なものであり、引戸には使用することができない。また、ドアロック使用時は、ペットのみならず、人間もドアを開けることができなくなってしまう。
【先行技術文献】
【特許文献】
【０００３】
【特許文献１】特開２０１２−０５２４００号公報
【発明の概要】
【発明が解決しようとする課題】
【０００４】
本発明は、ペットが引戸を開けるのを防止し、人間は引き戸を開けることができる、ペット用引戸固定具を提供することを課題とする。
【課題を解決するための手段】
【０００５】
本発明のペット用引戸固定具は、
引戸がペットにより開けられるのを防ぐペット用引戸固定具であって、
第１方向に延びる第１の板状部材と、
前記第１の板状部材の前記第１方向に直交する第２方向の一端から前記第１及び第２方向のそれぞれに直交する第３方向の一側に延びる第２の板状部材と、
前記第１の板状部材から前記第３方向の他側に延びる、前記第２方向に弾性を有する第３の板状部材と、
を備えることを特徴とする。
【０００６】
これによれば、引戸の側面に第２の板状部材を固定し、引戸の前面縁部に第１の板状部材を固定することで、第２の板状部材が固定された側面を柱に当接して戸を閉めた際に、第３の板状部材がその一面を柱に当接又は隣接して柱との間のスペースを狭め、それによりペットが引戸と柱の間に手を入れるのを妨げ、またペットが爪等を第３の板状部材に掛けても、第３の板状部材がその弾性により変形して、第１及び第２の板状部材２，３を移動させる力が加わらないようにすることができる。ペットが引戸を開けるのを防止することができる。
【０００７】
本発明のペット用引戸固定具は、
前記第３の板状部材は、前記第１及び第２の板状部材の接続箇所から延びることを特徴とする。
【０００８】
これによれば、第２の板状部材が固定された側面を柱に当接して戸を閉めた際に、第３の板状部材が柱に当接して、柱との間のスペースをなくすことができる。
【０００９】
本発明のペット用引戸固定具は、
前記第３の板状部材の弾性は、前記第３方向の他側の先端にかかる前記第２方向の１ｋｇ重の力に対して変位量１〜５ｍｍであることを特徴とする。
【００１０】
これによれば、ペットの通常の力であるおよそ１ｋｇ重の力に対して、ペットが爪や手の厚みだけの変形となり、ペットが引戸を開けるのを防止するのに好適なものとなる。
【００１１】
本発明のペット用引戸固定具は、
前記第３の板状部材の弾性は、前記第３方向の他側の先端にかかる前記第２方向の１ｋｇ重の力に対して変位量０．１ｍｍ以下であることを特徴とする。
【００１２】
これによれば、両引きの引戸のそれぞれの内側角部にペット用引戸固定具を取り付けた際に、互いの第３の板状部材が密接して、引戸の間のスペースをなくすことができる。
【００１３】
本発明のペット用引戸固定具は、
前記第２の板状部材は、前記第１の板状部材側の一面に粘着面を有することを特徴とする。
【００１４】
これによれば、粘着面を当接することで第２の板状部材を引戸の側面に固定することが容易にできる。
【発明の効果】
【００１５】
本発明のペット用引戸固定具によれば、ペットが引戸を開けるのを防止することができる。
【図面の簡単な説明】
【００１６】
【図１】図１は、ペット用引戸固定具の構成を示す図である。
【図２】図２は、ペット用引戸固定具を引戸に取り付けた状態を示す図である。
【発明を実施するための形態】
【００１７】
以下、本発明の一実施形態について説明する。
【００１８】
図１に、ペット用引戸固定具１の構成を示す。ここで、図１（Ａ）は斜視図であり、図１（Ｂ）は上面図である。ペット用引戸固定具１は、引戸がペットにより開けられるのを防ぐ器具であり、３つの板状部材２，３，４を備える。
【００１９】
板状部材２（第１の板状部材）は、Ｚ軸方向（第１方向）を長手とする矩形状を有する。第１の板状部材２は、＋Ｙ面に、引戸の前面縁部に固定するための粘着面２ａを有する。粘着面２ａは、例えば両面テープによって構成される。また、後述の粘着面３ａがあれば、必ずしもなくともよい。
【００２０】
板状部材３（第２の板状部材）は、Ｚ軸方向を長手とし、第１の板状部材２の＋Ｘ辺に−Ｙ辺を接して＋Ｙ方向（第３方向）に延びる矩形状を有する。板状部材３は、第１の板状部材２側の−Ｘ面に、引戸の側面に固定するための粘着面３ａを有する。粘着面３ａは、例えば両面テープによって構成される。板状部材３は、板状部材２と一体成形してもよい。つまり、１つの板状部材をその中央で折り曲げて板状部材２，３としてもよい。板状部材２，３は、引戸の角に固定する目的から、ポリエステル等の弾性を有する素材から形成してもよいし、金属等の剛体を用いて形成してもよい。
【００２１】
板状部材４（第３の板状部材）は、Ｚ軸方向を長手とし、板状部材２、３の接続箇所、すなわち板状部材２の＋Ｘ辺に＋Ｙ辺を接して−Ｙ方向に延びる矩形状を有する。板状部材４は、ポリエステル等の弾性を有する素材から構成され、Ｘ方向（第２方向）に力を加えることで変形し、解放すること元の形状に戻るＸ軸方向の弾性を有する。ここで、ペット、特に猫などの小動物の腕の力は１ｋｇ重程度である。そこで、板状部材４の弾性は、−Ｙ端にかかるＸ軸方向の１ｋｇ重の力に対して変位量１〜５ｍｍとする。それにより、ペットが爪等を板状部材４の先端に掛けても、その弾性により変形して板状部材４にかかる力を吸収し、板状部材２，３を移動させる力が加わらないようにすることができる。
【００２２】
上述のように板状部材４が板状部材２，３の接続箇所から−Ｙ方向に延びる構成により、後述するように板状部材３が固定された引戸１０の側面１０ａを柱１１に当接して戸を閉めた際に、板状部材４が柱に当接して、板状部材３と柱１１との間のペットが手或いは爪を差し込むスペースをなくすことができる。ただし、ペットが手或いは爪を差し込めない程度の小さなスペースであれば、板状部材２，３の接続箇所よりも−Ｘ方向に変位した個所から−Ｙ方向に延びてもよい。
【００２３】
ここで、板状部材４があまりに柔らかいと、板状部材３と柱１１との間にペットが手或いは爪を差し込むことができる。板状部材４のＸ軸方向の１ｋｇ重の力に対する変位量は５ｍｍ以下であることが好ましい。
【００２４】
ペット用引戸固定具１の使用方法について説明する。
【００２５】
図２に示すように、ペット用引戸固定具１を引戸１０の角に取り付ける。ここで、板状部材３を、粘着面３ａを当接して引戸１０の側面１０ａに固定し、板状部材２を、粘着面２ａを当接して引戸１０の前面縁部１０ｂに固定する。それにより、板状部材３が固定された側面１０ａを柱１１に当接して戸を閉めた際に、板状部材４がその一面を柱１１に当接して柱１１との間のスペースを狭め、それによりペットが引戸１０と柱１１の間に手を入れるのを防ぐ。また、ペットが爪等を板状部材４に掛けても、Ｘ軸方向（黒塗り矢印の方向）の弾性により変形して板状部材４にかかる力を吸収し、板状部材２，３を移動させる力が加わらないため、ペットが引戸を開けるのを防止することができる。
【００２６】
なお、ペット用引戸固定具１は、引戸１０の下側のみに、取り付けられる。人間は、引戸１０のペット用引戸固定具１よりも上の箇所を操作して、引戸１０を開閉することができる。
【００２７】
以上詳細に説明したように、本実施形態に係るペット用引戸固定具１は、Ｚ軸方向に延びる板状部材２、板状部材２の＋Ｘ端から＋Ｙ方向に延びる板状部材３、及び板状部材２から−Ｙ方向に延びる、Ｘ軸方向に弾性を有する板状部材４を備える。引戸１０の側面１０ａに板状部材３を固定し、引戸１０の前面縁部１０ｂに板状部材２を固定することで、板状部材３が固定された側面１０ａを柱１１に当接して戸を閉めた際に、板状部材４がその一面を柱１１に当接して柱１１との間のスペースを狭め、それによりペットが引戸１０と柱１１の間に手を入れるのを妨げ、またペットが爪等を板状部材４に掛けても、Ｘ軸方向の弾性により変形して板状部材４にかかる力を吸収し、板状部材２，３を移動させる力が加わらないため、ペットが引戸を開けるのを防止することができる。
【００２８】
なお、本実施形態では、ペット用引戸固定具１を片引きの引戸に使用したが両引きの引戸に使用してもよい。斯かる場合、両方の引戸にペット用引戸固定具１をそれぞれ取り付け、板状部材４を互いに対向して引戸を閉じればよい。それにより、互いの板状部材４が当接して互いの間のスペースを狭め、それによりペットが板状部材４の間に手を入れるのを妨げ、またペットが爪等を板状部材４に掛けても、Ｘ軸方向の弾性により変形して板状部材４にかかる力を吸収し、板状部材２，３を移動させる力が加わらないため、ペットが引戸を開けるのを防止することができる。
【００２９】
また、上述のとおりペット用引戸固定具１を両引きの引戸に使用する場合、板状部材４の弾性は、−Ｙ端にかかるＸ軸方向の１ｋｇ重の力に対して変位量０．１ｍｍ以下として（板状部材４を剛体として）もよい。両引きの引戸のそれぞれの内側角部にペット用引戸固定具１を取り付けた際に、互いの板状部材４が密接して戸の間のスペースをなくし、ペットが爪等を挿入するのを防止することができる。
【産業上の利用可能性】
【００３０】
ペットが引戸を開けるのを防止し、人間は引き戸を開けることができるペット用引戸固定具である。多くの家庭における利用が考えられる。
【符号の説明】
【００３１】
１      ペット用引戸固定具
２      板状部材
２ａ    粘着面
３      板状部材
３ａ    粘着面
４      板状部材
１０    引戸
１０ａ  側面
１０ｂ  前面縁部
１１    柱
【図１】
2019143318.tif 000003
【図２】
2019143318.tif 000004